(57)【要約】【課題】  火災発生時に、簡単な構造で遮蔽機能を満たすことができ、エレベータ乗場の構造に合わせて装置を大幅に変更することなく安価に設置することができるエレベータの乗場装置を得る。【解決手段】  乗場三方枠２と、この乗場三方枠で囲まれた乗場出入口を開閉自在に覆う乗場の戸１と、この乗場の戸と乗場三方枠との間に形成される隙間４と、乗場三方枠の上部に設けられ、粘性の高い液体を収容したタンク５と、このタンクに連結され、タンク内の粘性の高い液体を噴射する噴射装置６と、火災発生時にタンク内の液体を噴射装置により噴射して、乗場出入口を粘性の高い液体で遮蔽する制御装置８とを備える。【選択図】    図１
2005082358.tif 000002
【特許請求の範囲】
【請求項１】
乗場三方枠と、
この乗場三方枠で囲まれた乗場出入口を開閉自在に覆う乗場の戸と、
この乗場の戸と前記乗場三方枠との間に形成される隙間と、
前記乗場三方枠の上部に設けられ、粘性の高い液体を収容したタンクと、
このタンクに連結され、タンク内の粘性の高い液体を噴射する噴射装置と、
火災発生時に前記タンク内の液体を前記噴射装置により噴射して、乗場出入口を前記粘性の高い液体で遮蔽する制御装置と、
を備えたことを特徴とするエレベータの乗場装置。
【請求項２】
粘性の高い液体として、泡消化薬剤を用いたことを特徴とする請求項１記載のエレベータの乗場装置。
【請求項３】
泡消化薬剤として、Ａ火災用泡消化薬剤を用いたことを特徴とする請求項２記載のエレベータの乗場装置。
【請求項４】
乗場三方枠と、
この乗場三方枠で囲まれた乗場出入口を開閉自在に覆う乗場の戸と、
この乗場の戸と前記乗場三方枠との間に形成される隙間と、
前記乗場三方枠の上部に設けられ、粘性の高い液体を収容したタンクと、
このタンクに連結され、タンク内の粘性の高い液体を噴射する噴射装置と、
この噴射装置の先端でかつ前記乗場三方枠の上部一端側に位置するように設けられ、乗場三方枠の下部他端側に向かって前記液体を噴出する噴出口と、
火災発生時に前記タンク内の液体を前記噴射装置の噴出口により噴射して、乗場出入口を前記粘性の高い液体で遮蔽する制御装置とを備え、
前記噴射口は、前記粘性の高い液体を乗場三方枠の上部一端側から下部他端側に向かって噴出し、下部他端側から上部一端側まで順次積み重ねて乗場出入口を遮蔽することを特徴とするエレベータの乗場装置。
【請求項５】
乗場三方枠と、
この乗場三方枠で囲まれた乗場出入口を開閉自在に覆う乗場の戸と、
この乗場の戸と前記乗場三方枠との間に形成される隙間と、
前記乗場三方枠の上部に設けられ、粘性の高い液体を収容したタンクと、
このタンクに連結され、タンク内の粘性の高い液体を噴射する噴射装置と、
この噴射装置の先端でかつ前記乗場三方枠の上部中央に位置するように設けられ、乗場出入口の下部中央に向かって前記液体を噴出する噴出口と、
火災発生時に前記タンク内の液体を前記噴射装置の噴出口により噴射して、乗場出入口を前記粘性の高い液体で遮蔽する制御装置とを備え、
前記噴射口は、前記粘性の高い液体を乗場三方枠の上部中央から乗場出入口の下部中央に向かって噴出し、下部中央から上部まで順次積み重ねて乗場出入口を遮蔽することを特徴とするエレベータの乗場装置。
【請求項６】
乗場三方枠と、
この乗場三方枠で囲まれた乗場出入口を開閉自在に覆う乗場の戸と、
この乗場の戸と前記乗場三方枠との間に形成される隙間と、
前記乗場三方枠の上部に設けられ、粘性の高い液体を収容したタンクと、
このタンクに連結され、タンク内の粘性の高い液体を噴射する二つの噴射装置と、
この各噴射装置の先端でかつ前記乗場三方枠の上部一端側及び上部他端側に位置するようにそれぞれ設けられ、乗場三方枠の下部他端側及び下部一端側に向かって前記液体をそれぞれ噴出する二つの噴出口と、
火災発生時に前記タンク内の液体を前記噴射装置の噴出口により噴射して、乗場出入口を前記粘性の高い液体で遮蔽する制御装置とを備え、
前記噴射口は、前記粘性の高い液体を乗場三方枠の上部一端側から下部他端側に向かって噴出するとともに、乗場三方枠の上部他端側から下部一端側に向かって噴出し、下部他端側から上部一端側並びに下部一端側から上部他端側まで順次積み重ねて乗場出入口を遮蔽することを特徴とするエレベータの乗場装置。
【発明の詳細な説明】
【技術分野】
【０００１】
この発明はエレベータの乗場装置に関するものである。
【背景技術】
【０００２】
一般にエレベータの乗場装置においては、乗場の戸を円滑に開閉させるために、可動部である乗場の戸と固定部である乗場三方枠及び敷居との間には、若干の隙間が形成される。しかし、火災等で発生する煙や有毒ガスが、前記隙間を通してエレベータ昇降路内に侵入し、他階に被害が拡大する可能性がある。これに対処するため、従来は遮煙性能を保持するエレベータの乗場装置として、鋼板で出来た遮蔽板等で前記隙間を塞ぐ構造になっている。  
また、火災発生時に、乗場三方枠及び敷居とドアとの間の隙間に設置された膨張体に水を供給し、水を吸収することによって膨らむ膨張体により扉の隙間を埋める構造のものがある（例えば、特許文献１参照）。
【０００３】
【特許文献１】実開平７−３５４６９号公報
【発明の開示】
【発明が解決しようとする課題】
【０００４】
上記従来のエレベータの乗場装置にあっては、遮蔽板で完全に隙間を塞ぐことは出来ず煙が漏れてしまうことがある。また、それを防ぐために隙間を埋めるための緩衝材等を各所に貼り付ける等、複雑な構造をしているとともに、各乗場に合わせた遮蔽装置を持たなければならないという問題があった。また、特許文献１記載のものは、膨張体に水を供給し、膨張体を膨らませることによって扉の隙間を塞いでいるが、水の供給具合によって膨張体の膨らみ反応が異なり、隙間を完全に塞ぐことができないことがある、という問題があった。
【０００５】
この発明は、上述のような課題を解決するためになされたもので、第１の目的は、火災発生時に、簡単な構造で遮蔽機能を満たすことができ、しかもエレベータ乗場の構造に合わせて装置を大幅に変更することなく安価に設置することができるエレベータの乗場装置を提供するものである。
【０００６】
また、第２の目的は、火災が鎮火して、エレベータの運転を再開する際、噴射された液体を拭き取るだけでよく、特別な遮蔽解除装置を必要としないエレベータの乗場装置を提供するのものである。
【課題を解決するための手段】
【０００７】
この発明に係るエレベータの乗場ドア装置は、乗場三方枠と、この乗場三方枠で囲まれた乗場出入口を開閉自在に覆う乗場の戸と、この乗場の戸と乗場三方枠との間に形成される隙間と、乗場三方枠の上部に設けられ、粘性の高い液体を収容したタンクと、このタンクに連結され、タンク内の粘性の高い液体を噴射する噴射装置と、火災発生時にタンク内の液体を噴射装置により噴射して、乗場出入口を粘性の高い液体で遮蔽する制御装置とを備えたものである。
【発明の効果】
【０００８】
この発明は、火災発生時に、粘性の高い液体、例えば泡消化薬剤が噴射装置により乗場の戸に向かって噴射されるので、乗場装置のほぼ全体に亘って泡消化薬剤が付着され、乗場の戸と、乗場三方枠及び乗場床との間の隙間は泡消化薬剤により確実に遮蔽される。また、火災が鎮火して、エレベータの運転を再開する際には、噴射された泡消化薬剤を簡単に拭き取るだけでよく、特別な遮蔽解除装置を用いる必要もないという効果がある。
【発明を実施するための最良の形態】
【０００９】
実施の形態１．
図１はこの発明の実施の形態１におけるエレベータの乗場装置の概略構成を示す正面透視図、図２はこの発明の実施の形態１におけるエレベータの乗場装置を示す側断面図、図３はこの発明の実施の形態１におけるエレベータの乗場装置の火災発生時等の遮煙性能を保持する動作状態を連続的に示す説明図である。
図１〜図３において、エレベータの乗場装置は、乗場開口部を左右方向に開閉自在に覆う乗場の戸１と、乗場三方枠２と、乗場床３とから構成されている。乗場の戸１と、乗場三方枠２及び乗場床３との間には、ドアを円滑に開閉するために、若干の隙間４が形成されている。乗場三方枠２の上部には、粘性の高い液体、例えば泡消化薬剤が収容されたタンク５が設けられている。このタンク５の下部には、泡消化薬剤を噴出・散布する噴射装置６が設けられている。この噴射装置６の先端噴出口６ａは乗場三方枠２の上端部と乗場の戸１の上端部との間で、かつ乗場三方枠２の上部一端側に位置するように設けられ、先端噴出口６ａの噴出方向は乗場三方枠２の下部他端側の乗場の戸１に向けられている。なお、先端噴出口６ａの噴出方向は乗場床３の略中央から乗場三方枠２の下部他端側の範囲内に向けてもよい。従って、火災発生時にタンク５内の泡消化薬剤を乗場三方枠２の下部他端側の乗場の戸１に向かって噴射するような構成となっている。そして、火災感知器７が火災を感知すると、制御装置８を経由して噴射装置６を作動させる。
従って、エレベータが通常使用されている場合には、火災感知器７は動作せず、噴射装置６は作動しない。しかし、火災が発生すると、火災感知器７が火災を感知し、制御装置８を経由して噴射装置６を作動させる。タンク５内に収容された粘性の高い液体、すなわち泡消化薬剤は、噴射装置６により乗場三方枠２の下部他端側の乗場の戸１に向かって噴射され、図３（イ）に示すように、最初は乗場装置の左下側部に三角形の泡消化薬剤９が付着される。次に、図３（ロ）に示すように、乗場装置の下側約半分に三角形の泡消化薬剤９が付着される。さらに時間の経過とともに、図３（ハ）に示すように、乗場装置のほぼ全体に亘って泡消化薬剤９が付着され、乗場の戸１と、乗場三方枠２及び乗場床３との間の隙間４が密封状態に遮蔽される。なお、この泡消化薬剤９は、火災発生時に乗場の戸１、乗場三方枠２等の垂直な面に長時間付着させておく必要があるので、粘性の高い液体が用いられるが、粘性が高いので垂直面でも数時間は滞留する。。また、火災が鎮火して、エレベータの運転を再開する際には、噴射された泡消化薬剤を簡単に拭き取るだけでよく、特別な遮蔽解除装置を用いる必要もない。
なお、上記粘性の高い液体としての泡消化薬剤９として、Ａ火災用泡消化薬剤のフォス・チェックＷＤ８８１（フォス・チェックは、ＡＳＴＡＲＩＳ社の登録商標）を用いるのが好適である。
【００１０】
実施の形態２.
図４はこの発明の実施の形態２におけるエレベータの乗場装置の火災発生時等の遮煙性能を保持する動作状態を連続的に示す説明図である。
上記実施の形態１では、噴射装置６の先端噴出口６ａを乗場三方枠２の上端部と乗場の戸１の上端部との間で、かつ乗場三方枠２の上部一側端に位置するように設け、先端噴出口６ａの噴出方向を乗場三方枠２の下部他側端の乗場の戸１に向けるようにしたが、この実施の形態２では、噴射装置６の先端噴出口６ａは乗場三方枠２の上端部と乗場の戸１の上端部との間で、かつ乗場三方枠２の上部のほぼ中央に位置するように設けられ、先端噴出口６ａの噴出方向は乗場の戸１の下端部中央に向けられている。従って、火災発生時にタンク５内の泡消化薬剤を乗場の戸１の下端部中央に向かって噴射するような構成となっている。
従って、火災発生時に、泡消化薬剤は、噴射装置６により乗場の戸１の下端中央部に向かって噴射され、図４（イ）に示すように、最初は乗場装置の中央下側部に山形の泡消化薬剤９が付着される。次に、図４（ロ）に示すように、乗場装置の中央下側の約半分に山形の泡消化薬剤９が付着される。さらに時間の経過とともに、図４（ハ）に示すように、乗場装置のほぼ全体に亘って泡消化薬剤９が付着され、乗場の戸１と、乗場三方枠２及び乗場床３との間の隙間４が密封状態に遮蔽される。
以上のように噴射装置６の先端噴出口６ａの位置を変えて配設しても、実施の形態１と同様の効果が得られる。
【００１１】
実施の形態３.
図５はこの発明の実施の形態３におけるエレベータの乗場装置の火災発生時等の遮煙性能を保持する動作状態を連続的に示す説明図である。
上記実施の形態１では、噴射装置６の先端噴出口６ａを乗場三方枠２の上端部と乗場の戸１の上端部との間で、かつ乗場三方枠２の上部一端側に位置するように設け、先端噴出口６ａの噴出方向を乗場三方枠２の下部他端側の乗場の戸１に向けるようにしたが、この実施の形態３では、さらに、もう一つのタンク５と、もう一つの噴射装置６と、もう一つの先端噴出口６ａとを付加して設ける。そして、このもう一つの噴射装置６の先端噴出口６ａは、乗場三方枠２の上端部と乗場の戸１の上端部との間で、かつ乗場三方枠２の上部他端側に位置するように設けられ、その先端噴出口６ａの噴出方向は乗場三方枠２の下部一端側の乗場の戸１に向けられている。なお、この先端噴出口６ａの噴出方向は乗場床３の略中央から乗場三方枠２の下部一端側の範囲内に向けてもよい。従って、火災発生時に二つのタンク５内の泡消化薬剤を乗場三方枠２の下部他端側の乗場の戸１及び下部一端側の乗場の戸１に向かってそれぞれ噴射するような構成となっている。従って、火災発生時に二つのタンク５内の泡消化薬剤を乗場三方枠２の下部他端側の乗場の戸１及び下部一端側の乗場の戸１に向かってそれぞれ噴射して、乗場の戸１の中央部で交差状に交わるような構成としたり、或いは乗場の戸１の中央部に集中するような構成とすることができる。
従って、火災発生時に、泡消化薬剤は、二つの噴射装置６により乗場三方枠２の下部他端側の乗場の戸１及び下部一端側に向かってそれぞれ噴射され、図５（イ）に示すように、最初は乗場装置の左下側部及び右下側部に三角形の泡消化薬剤９が付着される。次に、図５（ロ）に示すように、乗場装置の下側約半分にＭ字形の泡消化薬剤９が付着される。さらに時間の経過とともに、図５（ハ）に示すように、乗場装置のほぼ全体に亘って泡消化薬剤９が付着され、乗場の戸１と、乗場三方枠２及び乗場床３との間の隙間４が密封状態に遮蔽される。
この実施の形態３によれば、二つの噴射装置により、乗場装置の隙間を密封状態に遮蔽できるので、火災発生時に最短時間のうちに遮煙性能を保持することができる効果がある。
【図面の簡単な説明】
【００１２】
【図１】この発明の実施の形態１におけるエレベータの乗場装置の概略構成を示す正面透視図である。
【図２】この発明の実施の形態１におけるエレベータの乗場装置を示す側断面図である。
【図３】この発明の実施の形態１におけるエレベータの乗場装置の火災発生時等の遮煙性能を保持する動作状態を連続的に示す説明図である。
【図４】この発明の実施の形態２におけるエレベータの乗場装置の火災発生時等の遮煙性能を保持する動作状態を連続的に示す説明図である。
【図５】図５はこの発明の実施の形態３におけるエレベータの乗場装置の火災発生時等の遮煙性能を保持する動作状態を連続的に示す説明図である。
【符号の説明】
【００１３】
１  乗場の戸
２  乗場三方枠
３  乗場床
４  隙間
５  タンク
６  噴射装置
６ａ  先端噴出口
７  火災感知器
８  制御装置
９  泡消化薬剤    
【図１】
2005082358.tif 000003
【図２】
2005082358.tif 000004
【図３】
2005082358.tif 000005
【図４】
2005082358.tif 000006
【図５】
2005082358.tif 000007